(57)【要約】【課題】  より多くのユーザにより快適な通信環境を提供することができるようにする。【解決手段】  操作ユニット５５の中の端末１１のメインスイッチであるボタン９１を押下することにより端末１１の起動または停止が指令される。端末１１が起動中にボタン９２を押下することにより、端末１１の携帯電話機能を提供するユニットである通信ユニット５１の起動または停止が指令される。端末１１が起動している間、コンテンツのデータの再生を行うＡＶユニット５２は停止されず、ボタン９２の操作に基づいてＡＶユニット５２がスイッチングユニット５４を制御して、電源ユニット５３から通信ユニット５１への電力供給を制御することにより通信ユニット５１が起動または停止される。本発明はポータブルオーディオプレーヤに適用することができる。【選択図】図２
2006180001.tif 000002
【特許請求の範囲】
【請求項１】
複数の処理のそれぞれに対応する複数の機能部を有し、
前記複数の機能部のうちの１つの機能部であって、データの通信に関する処理を行う通信手段と、前記通信手段を制御するとともに前記通信手段によるデータの通信に関する処理が実行中であるか否かを表す情報を管理する通信管理手段とからなる第１の機能部と、
前記第１の機能部の停止を指示する指示手段と、
前記複数の機能部のうちの１つの機能部であって、前記第１の機能部とは異なる第２の機能部に設けられ、前記指示手段により第１の機能部の停止が指示された場合、前記通信管理手段により管理される前記情報に基づいて、前記通信手段における通信処理が実行中であるか否かを判定する判定手段と、
前記第２の機能部に設けられ、前記判定手段の判定結果に基づいて、前記第１の機能部を停止する停止手段とを備え、
前記停止手段は、前記判定手段により前記通信手段における通信処理が実行中であると判定された場合、前記通信処理が終了した後、前記第１の機能部を停止させる
ことを特徴とする情報処理装置。
【請求項２】
自分を駆動するために必要な電力を供給する電力供給手段と、
前記電力供給手段の前記第１の機能部に対する電力の供給を制御する供給制御手段とをさらに備え、
前記停止手段は、前記供給制御手段を制御して第１の機能部への電力の供給を停止させることにより前記第１の機能部を停止させる
ことを特徴とする請求項１に記載の情報処理装置。
【請求項３】
前記第２の機能部は、コンテンツのデータの再生に関する処理を実行する
ことを特徴とする請求項１に記載の情報処理装置。
【請求項４】
前記第１の機能部は、他の情報処理装置と通信を行い、コンテンツのデータをダウンロードするとともに、前記コンテンツのデータを、前記第２の機能部に装着される記録媒体に記録し、
前記第２の機能部は、前記記録媒体に記録された前記コンテンツのデータの再生に関する処理を実行する
ことを特徴とする請求項３に記載の情報処理装置。
【請求項５】
前記指示手段により第１の機能部の停止が指示された場合、前記判定手段の判定結果に基づいて、前記通信手段における通信処理が実行中であるか否かを提示する提示手段をさらに備える
ことを特徴とする請求項１に記載の情報処理装置。
【請求項６】
複数の処理のそれぞれに対応する複数の機能部を有し、
データの通信に関する処理を行う通信ステップと、前記通信ステップの処理の制御を行うとともに前記通信ステップの処理によるデータの通信に関する処理が実行中であるか否かを表す情報を管理する通信管理ステップとを含む処理を実行する機能部であって、前記複数の機能部のうちの１つの機能部である第１の機能部を備える情報処理装置の情報処理方法であって、
前記第１の機能部の停止の指示を受け付ける指示受付ステップと、
前記複数の機能部のうちの１つの機能部であって、前記第１の機能部とは異なる第２の機能部において実行される、前記指示受付ステップの処理により第１の機能部の停止の指示が受け付けられた場合、前記通信管理ステップの処理により管理される前記情報に基づいて、前記通信ステップの処理による通信処理が実行中であるか否かを判定する判定ステップと、
前記第２の機能部において実行される、前記判定ステップの処理による判定結果に基づいて、前記第１の機能部を停止する停止ステップと含み、
前記判定ステップの処理により前記通信ステップの処理による通信処理が実行中であると判定された場合、前記通信処理が終了した後、前記停止ステップの処理が実行される
ことを特徴とする情報処理方法。
【請求項７】
複数の処理のそれぞれに対応する複数の機能部を有し、
データの通信に関する処理を制御する通信制御ステップと、前記通信制御ステップの処理の制御を行うとともに前記通信ステップの処理によるデータの通信に関する処理が実行中であるか否かを表す情報の管理を制御する通信管理制御ステップとを含む処理を実行する機能部であって、前記複数の機能部のうちの１つの機能部である第１の機能部を備える情報処理装置に情報処理を行わせるプログラムであって、
前記第１の機能部の停止の指示の受け付けを制御する指示受付制御ステップと、
前記複数の機能部のうちの１つの機能部であって、前記第１の機能部とは異なる第２の機能部において実行される、前記指示受付制御ステップの処理により第１の機能部の停止の指示が受け付けられた場合、前記通信管理制御ステップの処理により管理される前記情報に基づいて、前記通信制御ステップの処理による通信処理が実行中であるか否かの判定を制御する判定制御ステップと、
前記第２の機能部において実行される、前記判定制御ステップの処理による判定結果に基づいて、前記第１の機能部の停止を制御する停止制御ステップと
を含むことを特徴とするコンピュータが読み取り可能なプログラム。
【請求項８】
複数の処理のそれぞれに対応する複数の機能部を有し、
データの通信に関する処理を制御する通信制御ステップと、前記通信制御ステップの処理の制御を行うとともに前記通信ステップの処理によるデータの通信に関する処理が実行中であるか否かを表す情報の管理を制御する通信管理制御ステップとを含む処理を実行する機能部であって、前記複数の機能部のうちの１つの機能部である第１の機能部を備える情報処理装置に情報処理を行わせるプログラムであって、
前記第１の機能部の停止の指示の受け付けを制御する指示受付制御ステップと、
前記複数の機能部のうちの１つの機能部であって、前記第１の機能部とは異なる第２の機能部において実行される、前記指示受付制御ステップの処理により第１の機能部の停止の指示が受け付けられた場合、前記通信管理制御ステップの処理により管理される前記情報に基づいて、前記通信制御ステップの処理による通信処理が実行中であるか否かの判定を制御する判定制御ステップと、
前記第２の機能部において実行される、前記判定制御ステップの処理による判定結果に基づいて、前記第１の機能部の停止を制御する停止制御ステップと
を含むコンピュータが読み取り可能なプログラムが記録されていることを特徴とする記録媒体。
【請求項９】
データの通信に関する処理を実行する通信機能部と、
前記通信機能部による他の情報処理装置との通信によりダウンロードされたコンテンツのデータを含むコンテンツのデータの再生に関する処理を実行する再生機能部と、
自分の駆動または停止を指令する第１の指令手段と、
前記通信機能部の駆動を指令する第２の指令手段と、
前記第１の指令手段により自分の駆動が指令された場合、前記再生機能部に電力を供給し、前記第２の指令手段により前記通信機能部の駆動が指令された場合、前記通信機能部にさらに電力を供給し、前記第１の指令手段により自分の停止が指令された場合、前記再生機能部および前記通信機能部への電力の供給を停止する電力供給手段と
を備えることを特徴とする情報処理装置。
【請求項１０】
データの通信に関する処理を実行する通信機能部と、
前記通信機能部による他の情報処理装置との通信によりダウンロードされたコンテンツのデータを含むコンテンツのデータの再生に関する処理を実行する再生機能部と、
自分を駆動するために必要な電力を供給する電力供給手段と、
自分の駆動または停止を指令する第１の指令手段と、
前記通信機能部の駆動を指令する第２の指令手段とを有する情報処理装置の情報処理方法であって、
前記第１の指令手段により自分の駆動が指令された場合、前記電力供給手段は、前記再生機能部に電力を供給し、
前記第２の指令手段により前記通信機能部の駆動が指令された場合、前記電力供給手段は、前記通信機能部にさらに電力を供給し、
前記第１の指令手段により自分の停止が指令された場合、前記電力供給手段は、前記再生機能部および前記通信機能部への電力の供給を停止する
ことを特徴とする情報処理方法。
【発明の詳細な説明】
【技術分野】
【０００１】
本発明は、情報処理装置および方法、プログラム、並びに記録媒体に関し、特に、より多くのユーザにより快適な通信環境を提供することができるようにする情報処理装置および方法、プログラム、並びに記録媒体に関する。
【背景技術】
【０００２】
近年、携帯電話機を利用した音楽配信サービスが数多く提供されており、受信した楽曲を、オーディオ機能が搭載された携帯電話機を利用して聴くユーザも増えてきた。一方、オーディオの機能に絞った携帯端末（いわゆるウォークマン（商標）など）に携帯電話機などの通信機能を搭載し、通話したり、音楽配信サービスを受けたりすることのできる携帯端末装置も提案されている（例えば、特許文献１参照）。
【０００３】
このように進化する携帯端末においては、従来のオーディオプレーヤでは実現できなかった便利な機能（例えば、オーディオの再生とともに電子メールを受信または送信したりすることができる機能）を有する一方で、従来のオーディオプレーヤでは考慮されていなかった問題点も生じてくる。例えば、楽曲を聴いているときに携帯電話の着信があったり、飛行機の中、電車の中、病院など、通話機能（通信機能）を切断し、オーディオ再生機能のみに限定したい状況が発生する。
【０００４】
このため、携帯電話の機種によっては、パーソナルモードなどと呼ばれるモードを設けて通信機能のみを切断することが可能なものもある。
【０００５】
【特許文献１】特開２００１−１１１７２４号公報
【発明の開示】
【発明が解決しようとする課題】
【０００６】
しかしながら、従来の携帯端末は、携帯電話機をベースとして開発されているため、パーソナルモードに設定するためには、携帯電話の操作メニューを選択しながら設定を行う必要がある。このため、従来のオーディオプレーヤの感覚で楽曲を聴いて楽しんでいるユーザにとっては、オーディオ（例えば、楽曲の再生）の起動または停止などといった操作と比較して、操作が複雑で使いにくいという課題があった。また一般には、飛行機の機内などでは、パーソナルモードに設定するのではなく、携帯電話の電源を切るように指示している（例えば、飛行機の搭乗員が携帯電話の電源が入っているとパーソナルモードにしているのかどうかもわからないため）ため、ユーザは、通信機能を切断したい場合、携帯端末そのものの電源を切るなどして対応していた。
【０００７】
さらに、通信処理（例えば、楽曲データのダウンロード、電子メールの受信など）中に電源を切断し、その通信処理を中断すると、後から再度同じ処理を繰り返さなければならないため、結果として電車内のシルバーシート付近や病院などにおいても、携帯電話の電源を切らずにおくユーザも多く、ユーザにとって快適な機能を提供すると同時に、周囲の人にとっても快適な環境を提供することができないという課題があった。
【０００８】
本発明はこのような状況に鑑みてなされたものであり、より多くのユーザにより快適な通信環境を提供することができるようにするものである。
【課題を解決するための手段】
【０００９】
本発明の第１の情報処理装置は、複数の処理のそれぞれに対応する複数の機能部を有し、複数の機能部のうちの１つの機能部であって、データの通信に関する処理を行う通信手段と、通信手段を制御するとともに通信手段によるデータの通信に関する処理が実行中であるか否かを表す情報を管理する通信管理手段とからなる第１の機能部と、第１の機能部の停止を指示する指示手段と、複数の機能部のうちの１つの機能部であって、第１の機能部とは異なる第２の機能部に設けられ、指示手段により第１の機能部の停止が指示された場合、通信管理手段により管理される情報に基づいて、通信手段における通信処理が実行中であるか否かを判定する判定手段と、第２の機能部に設けられ、判定手段の判定結果に基づいて、第１の機能部を停止する停止手段とを備え、停止手段は、判定手段により通信手段における通信処理が実行中であると判定された場合、通信処理が終了した後、第１の機能部を停止させることを特徴とする。
【００１０】
自分を駆動するために必要な電力を供給する電力供給手段と、電力供給手段の第１の機能部に対する電力の供給を制御する供給制御手段とをさらに備え、停止手段は、供給制御手段を制御して第１の機能部への電力の供給を停止させることにより第１の機能部を停止させるようにすることができる。
【００１１】
前記第２の機能部は、コンテンツのデータの再生に関する処理を実行するようにすることができる。
【００１２】
前記第１の機能部は、他の情報処理装置と通信を行い、コンテンツのデータをダウンロードするとともに、コンテンツのデータを、第２の機能部に装着される記録媒体に記録し、第２の機能部は、記録媒体に記録された前記コンテンツのデータの再生に関する処理を実行するようにすることができる。
【００１３】
前記指示手段により第１の機能部の停止が指示された場合、判定手段の判定結果に基づいて、通信手段における通信処理が実行中であるか否かを提示する提示手段をさらに備えるようにすることができる。
【００１４】
本発明の第１の情報処理方法は、複数の処理のそれぞれに対応する複数の機能部を有し、データの通信に関する処理を行う通信ステップと、通信ステップの処理の制御を行うとともに通信ステップの処理によるデータの通信に関する処理が実行中であるか否かを表す情報を管理する通信管理ステップとを含む処理を実行する機能部であって、複数の機能部のうちの１つの機能部である第１の機能部を備える情報処理装置の情報処理方法であって、第１の機能部の停止の指示を受け付ける指示受付ステップと、複数の機能部のうちの１つの機能部であって、第１の機能部とは異なる第２の機能部において実行される、指示受付ステップの処理により第１の機能部の停止の指示が受け付けられた場合、通信管理ステップの処理により管理される情報に基づいて、通信ステップの処理による通信処理が実行中であるか否かを判定する判定ステップと、第２の機能部において実行される、判定ステップの処理による判定結果に基づいて、第１の機能部を停止する停止ステップと含み、判定ステップの処理により通信ステップの処理による通信処理が実行中であると判定された場合、通信処理が終了した後、前記停止ステップの処理が実行されることを特徴とする。
【００１５】
本発明のプログラムは、複数の処理のそれぞれに対応する複数の機能部を有し、データの通信に関する処理を制御する通信制御ステップと、通信制御ステップの処理の制御を行うとともに通信ステップの処理によるデータの通信に関する処理が実行中であるか否かを表す情報の管理を制御する通信管理制御ステップとを含む処理を実行する機能部であって、複数の機能部のうちの１つの機能部である第１の機能部を備える情報処理装置に情報処理を行わせるプログラムであって、第１の機能部の停止の指示の受け付けを制御する指示受付制御ステップと、複数の機能部のうちの１つの機能部であって、第１の機能部とは異なる第２の機能部において実行される、指示受付制御ステップの処理により第１の機能部の停止の指示が受け付けられた場合、通信管理制御ステップの処理により管理される情報に基づいて、通信制御ステップの処理による通信処理が実行中であるか否かの判定を制御する判定制御ステップと、第２の機能部において実行される、判定制御ステップの処理による判定結果に基づいて、第１の機能部の停止を制御する停止制御ステップとを含むことを特徴とする。
【００１６】
本発明の記録媒体は、複数の処理のそれぞれに対応する複数の機能部を有し、データの通信に関する処理を制御する通信制御ステップと、通信制御ステップの処理の制御を行うとともに通信ステップの処理によるデータの通信に関する処理が実行中であるか否かを表す情報の管理を制御する通信管理制御ステップとを含む処理を実行する機能部であって、複数の機能部のうちの１つの機能部である第１の機能部を備える情報処理装置に情報処理を行わせるプログラムであって、第１の機能部の停止の指示の受け付けを制御する指示受付制御ステップと、複数の機能部のうちの１つの機能部であって、第１の機能部とは異なる第２の機能部において実行される、指示受付制御ステップの処理により第１の機能部の停止の指示が受け付けられた場合、通信管理制御ステップの処理により管理される情報に基づいて、通信制御ステップの処理による通信処理が実行中であるか否かの判定を制御する判定制御ステップと、第２の機能部において実行される、判定制御ステップの処理による判定結果に基づいて、第１の機能部の停止を制御する停止制御ステップとを含むコンピュータが読み取り可能なプログラムが記録されていることを特徴とする。
【００１７】
本発明の第１の情報処理装置および方法、並びにプログラムにおいては、第１の機能部の停止の指示が受け付けられ、第１の機能部の停止の指示が受け付けられた場合、第１の機能部とは異なる第２の機能部により、通信ステップの処理による通信処理が実行中であるか否かが判定され、第２の機能部により、判定結果に基づいて、第１の機能部が停止される。
【００１８】
本発明の第２の情報処理装置は、データの通信に関する処理を実行する通信機能部と、通信機能部による他の情報処理装置との通信によりダウンロードされたコンテンツのデータを含むコンテンツのデータの再生に関する処理を実行する再生機能部と、自分の駆動または停止を指令する第１の指令手段と、通信機能部の駆動を指令する第２の指令手段と、第１の指令手段により自分の駆動が指令された場合、再生機能部に電力を供給し、第２の指令手段により通信機能部の駆動が指令された場合、通信機能部にさらに電力を供給し、第１の指令手段により自分の停止が指令された場合、再生機能部および通信機能部への電力の供給を停止する電力供給手段とを備えることを特徴とする。
【００１９】
本発明の第２の情報処理方法は、データの通信に関する処理を実行する通信機能部と、通信機能部による他の情報処理装置との通信によりダウンロードされたコンテンツのデータを含むコンテンツのデータの再生に関する処理を実行する再生機能部と、自分を駆動するために必要な電力を供給する電力供給手段と、自分の駆動または停止を指令する第１の指令手段と、通信機能部の駆動を指令する第２の指令手段とを有する情報処理装置の情報処理方法であって、第１の指令手段により自分の駆動が指令された場合、電力供給手段は、再生機能部に電力を供給し、第２の指令手段により通信機能部の駆動が指令された場合、電力供給手段は、通信機能部にさらに電力を供給し、第１の指令手段により自分の停止が指令された場合、電力供給手段は、再生機能部および通信機能部への電力の供給を停止することを特徴とする。
【００２０】
本発明の第２の情報処理装置および方法においては、第１の指令手段により自分の起動が指令された場合、電力供給手段により、再生機能部に電力が供給され、第２の指令手段により通信機能部の起動が指令された場合、電力供給手段により、通信機能部にさらに電力が供給され、第１の指令手段により自分の停止が指令された場合、電力供給手段による再生機能部および前記通信機能部への電力の供給が停止される。
【発明の効果】
【００２１】
本発明によれば、通信環境を提供することができる。特に、より多くのユーザにより快適な通信環境を提供することができる。
【発明を実施するための最良の形態】
【００２２】
以下に本発明の実施の形態を説明するが、本明細書に記載した発明と、発明の実施の形態との対応関係を例示すると、次のようになる。この記載は、本明細書に記載されている発明をサポートする実施の形態が明細書に記載されていることを確認するためのものである。従って、明細書には記載されているが、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２３】
さらに、この記載は、明細書に記載されている発明が、全て請求されていることを意味するものではない。換言すれば、この記載は、明細書に記載されている発明であって、この出願では請求されていない発明の存在、すなわち、将来、分割出願されたり、補正により出願、または追加される発明の存在を否定するものではない。
【００２４】
請求項１に記載の情報処理装置は、複数の処理のそれぞれに対応する複数の機能部を有し、前記複数の機能部のうちの１つの機能部であって、データの通信に関する処理を行う通信手段（例えば、図３の送受信制御部１１２）と、前記通信手段を制御するとともに前記通信手段によるデータの通信に関する処理が実行中であるか否かを表す情報を管理する通信管理手段（例えば、図３の主制御部１１５）とからなる第１の機能部（例えば、図２の通信ユニット５１）と、前記第１の機能部の停止を指示する指示手段（例えば、図２の操作ユニット５５）と、前記複数の機能部のうちの１つの機能部であって、前記第１の機能部とは異なる第２の機能部（例えば、図２のＡＶユニット５２）に設けられ、前記指示手段により第１の機能部の停止が指示された場合、前記通信管理手段により管理される前記情報に基づいて、前記通信手段における通信処理が実行中であるか否かを判定する判定手段（例えば、図５のステータス管理部２０２）と、前記第２の機能部に設けられ、前記判定手段の判定結果に基づいて、前記第１の機能部を停止する停止手段（例えば、図５のスイッチ制御部２０４）とを備え、前記停止手段は、前記判定手段により前記通信手段における通信処理が実行中であると判定された場合、前記通信処理が終了した後、前記第１の機能部を停止させる。
【００２５】
請求項２に記載の情報処理装置は、自分を駆動するために必要な電力を供給する電力供給手段（例えば、図２の電源ユニット５３）と、前記電力供給手段の前記第１の機能部に対する電力の供給を制御する供給制御手段（例えば、図２のスイッチングユニット５４）とをさらに備え、前記停止手段は、前記供給制御手段を制御して第１の機能部への電力の供給を停止させることにより前記第１の機能部を停止させるようにすることができる。
【００２６】
請求項４に記載の情報処理装置は、前記第１の機能部が、他の情報処理装置と通信を行い、コンテンツのデータをダウンロードするとともに、前記コンテンツのデータを、前記第２の機能部に装着される記録媒体（例えば、図２のフラッシュメモリ７６）に記録し、前記第２の機能部は、前記記録媒体に記録された前記コンテンツのデータの再生に関する処理を実行するようにすることができる。
【００２７】
請求項５に記載の情報処理装置は、前記指示手段により第１の機能部の停止が指示された場合、前記判定手段の判定結果に基づいて、前記通信手段における通信処理が実行中であるか否かを提示する提示手段（例えば、図２のLED７５）をさらに備えるようにすることができる。
【００２８】
請求項６に記載の情報処理方法は、複数の処理のそれぞれに対応する複数の機能部を有し、データの通信に関する処理を行う通信ステップ（例えば、図１１のステップS５３の処理）と、前記通信ステップの処理の制御を行うとともに前記通信ステップの処理によるデータの通信に関する処理が実行中であるか否かを表す情報を管理する通信管理ステップ（例えば、図１１のステップS５４）とを含む処理を実行する機能部であって、前記複数の機能部のうちの１つの機能部である第１の機能部（例えば、図２の通信ユニット５１）を備える情報処理装置の情報処理方法であって、前記第１の機能部の停止の指示を受け付ける指示受付ステップ（例えば、図９のステップS７）と、前記複数の機能部のうちの１つの機能部であって、前記第１の機能部とは異なる第２の機能部において実行される、前記指示受付ステップの処理により第１の機能部の停止の指示が受け付けられた場合、前記通信管理ステップの処理により管理される前記情報に基づいて、前記通信ステップの処理による通信処理が実行中であるか否かを判定する判定ステップ（例えば、図９のステップS８）と、前記第２の機能部において実行される、前記判定ステップの処理による判定結果に基づいて、前記第１の機能部を停止する停止ステップ（例えば、図９のステップS１０の処理）と含み、前記判定ステップの処理により前記通信ステップの処理による通信処理が実行中であると判定された場合、前記通信処理が終了した後、前記停止ステップの処理が実行される。
【００２９】
請求項７に記載のプログラムは、複数の処理のそれぞれに対応する複数の機能部を有し、データの通信に関する処理を制御する通信制御ステップ（例えば、図１１のステップS５３の処理）と、前記通信制御ステップの処理の制御を行うとともに前記通信ステップの処理によるデータの通信に関する処理が実行中であるか否かを表す情報の管理を制御する通信管理制御ステップ（例えば、図１１のステップS５４）とを含む処理を実行する機能部であって、前記複数の機能部のうちの１つの機能部である第１の機能部（例えば、図２の通信ユニット５１）を備える情報処理装置に情報処理を行わせるプログラムであって、前記第１の機能部の停止の指示の受け付けを制御する指示受付制御ステップ（例えば、図９のステップS７）と、前記複数の機能部のうちの１つの機能部であって、前記第１の機能部とは異なる第２の機能部において実行される、前記指示受付制御ステップの処理により第１の機能部の停止の指示が受け付けられた場合、前記通信管理制御ステップの処理により管理される前記情報に基づいて、前記通信制御ステップの処理による通信処理が実行中であるか否かの判定を制御する判定制御ステップ（例えば、図９のステップS８）と、前記第２の機能部において実行される、前記判定制御ステップの処理による判定結果に基づいて、前記第１の機能部の停止を制御する停止制御ステップ（例えば、図９のステップS１０の処理）とを含む。
【００３０】
請求項８に記載の記録媒体は、複数の処理のそれぞれに対応する複数の機能部を有し、データの通信に関する処理を制御する通信制御ステップ（例えば、図１１のステップS５３の処理）と、前記通信制御ステップの処理の制御を行うとともに前記通信ステップの処理によるデータの通信に関する処理が実行中であるか否かを表す情報の管理を制御する通信管理制御ステップ（例えば、図１１のステップS５４）とを含む処理を実行する機能部であって、前記複数の機能部のうちの１つの機能部である第１の機能部（例えば、図２の通信ユニット５１）を備える情報処理装置に情報処理を行わせるプログラムであって、前記第１の機能部の停止の指示の受け付けを制御する指示受付制御ステップ（例えば、図９のステップS７）と、前記複数の機能部のうちの１つの機能部であって、前記第１の機能部とは異なる第２の機能部において実行される、前記指示受付制御ステップの処理により第１の機能部の停止の指示が受け付けられた場合、前記通信管理制御ステップの処理により管理される前記情報に基づいて、前記通信制御ステップの処理による通信処理が実行中であるか否かの判定を制御する判定制御ステップ（例えば、図９のステップS８）と、前記第２の機能部において実行される、前記判定制御ステップの処理による判定結果に基づいて、前記第１の機能部の停止を制御する停止制御ステップ（例えば、図９のステップS１０の処理）とを含むコンピュータが読み取り可能なプログラムが記録されている。
【００３１】
請求項９に記載の情報処理装置は、データの通信に関する処理を実行する通信機能部（例えば、図２の通信ユニット５１）と、前記通信機能部による他の情報処理装置との通信によりダウンロードされたコンテンツのデータを含むコンテンツのデータの再生に関する処理を実行する再生機能部（例えば、図２のAVユニット５２）と、自分の駆動または停止を指令する第１の指令手段（例えば、図２の操作ユニット５５のボタン９１）と、前記通信機能部の駆動を指令する第２の指令手段（例えば、図２の操作ユニット５５のボタン９２）と、前記第１の指令手段により自分の駆動が指令された場合、前記再生機能部に電力を供給し、前記第２の指令手段により前記通信機能部の駆動が指令された場合、前記通信機能部にさらに電力を供給し、前記第１の指令手段により自分の停止が指令された場合、前記再生機能部および前記通信機能部への電力の供給を停止する電力供給手段（例えば、図２の電源ユニット５３）とを備える。
【００３２】
請求項１０に記載の情報処理方法は、データの通信に関する処理を実行する通信機能部（例えば、図２の通信ユニット５１）と、前記通信機能部による他の情報処理装置との通信によりダウンロードされたコンテンツのデータを含むコンテンツのデータの再生に関する処理を実行する再生機能部（例えば、図２のAVユニット５２）と、自分を駆動するために必要な電力を供給する電力供給手段（例えば、図２の電源ユニット５３）と、自分の駆動または停止を指令する第１の指令手段（例えば、図２の操作ユニット５５のボタン９１）と、前記通信機能部の駆動を指令する第２の指令手段（例えば、図２の操作ユニット５５のボタン９２）とを有する情報処理装置の情報処理方法であって、前記第１の指令手段により自分の駆動が指令された場合、前記電力供給手段は、前記再生機能部に電力を供給し、前記第２の指令手段により前記通信機能部の駆動が指令された場合、前記電力供給手段は、前記通信機能部にさらに電力を供給し、前記第１の指令手段により自分の停止が指令された場合、前記電力供給手段は、前記再生機能部および前記通信機能部への電力の供給を停止する。
【００３３】
以下、図面を参照して、本発明の実施の形態について説明する。図１は、本発明に係る通信システムの一実施の形態の構成を示す図である。
【００３４】
同図において、端末１１は、ユーザ２１が携帯可能な程度に充分小型に構成され、携帯電話機と同様の機能を有している。すなわち端末１１は、基地局１２と、無線による通信を行うことにより、他の携帯電話機などの端末との通話、基地局１２を介して接続されるネットワーク上のサーバなどとの間の電子メールの送受信などを行う。また、携帯電話の音楽配信サービス、インターネット接続サービスなどを利用して基地局１２から送信される楽曲データまたは映像データなどのコンテンツのデータを受信して、例えば自身に装着された記録媒体などに蓄積する。
【００３５】
さらに、端末１１は、ポータブルオーディオ（またはビジュアル）プレーヤとしての機能も有しており、ユーザ２１の操作に基づいて、記録媒体に記録された楽曲データ、映像データなどのコンテンツのデータを再生する。ユーザ２１は、例えば、自身が携帯する端末１１にヘッドフォン１２などを接続して、電車、飛行機などによる移動中であっても、または外出先など所望の場所において所望のコンテンツを視聴することができる。
【００３６】
図２は、図１の端末１１の内部構成例を示すブロック図である。この例では、携帯端末１１が、通信ユニット５１、ＡＶ（Audio  Video）ユニット５２、電源ユニット５３、スイッチングユニット５４、操作ユニット５５により構成されている。
【００３７】
通信ユニット５１は、例えば、GSM（Global System for Mobile Communications）の通信方式で、基地局１２との無線通信を行い、端末１１の携帯電話機能を実現する機能ブロックであり、通信ユニット５１には、基地局１２との間での送受信電波の入力または出力を行うアンテナ７１、ユーザの通話音声を入力するマイク７２、および端末１１のユーザが通話中の他のユーザの音声または所定の操作音などを出力するスピーカ７３が接続されている。なお、通信ユニット５１の通信方式は、GSMに限られるものではなく、例えば、CDMA（Code Division Multiple Access）2000など、他の通信方式が採用されるようにしてもよい。
【００３８】
ＡＶユニット５２は、記録媒体に記録されたコンテンツのデータを再生して、そのコンテンツの映像または音声信号を出力し、端末１１のポータブルオーディオ（またはビジュアル）プレーヤ機能を実現する機能ブロックであり、この例では、コンテンツのデータを記録する記録媒体としてフラッシュメモリ７６が接続されている。また、ＡＶユニット５２には、再生されたコンテンツに含まれる音声の信号を出力するためのヘッドフォン端子７４が接続されており、ヘッドフォン端子７４にヘッドフォン１２を接続することにより、ユーザは、例えば、再生されたコンテンツである楽曲を聴くことができる。なお、ＡＶユニット５２が再生するコンテンツに映像が含まれる場合、再生された映像の信号は図示せぬディスプレイなどに出力されるものとする。
【００３９】
電源ユニット５３は、端末１１を駆動（起動）するために必要な電力を、端末１１の各部に供給する。電源ユニット５３は、電源ラインＡを介して、通信ユニット５１に対して電力を供給し、電源ラインＡとは異なる電源ラインＢを介してＡＶユニット５２に対して電力供給する。
【００４０】
スイッチングユニット５４は、ＡＶユニット５２から出力される制御信号に基づいて内部のスイッチを開放または閉塞するように駆動することにより、必要に応じて電源ユニット５３から通信ユニット５１に対しての電力供給回線である電源ラインＡを接続または切断する。
【００４１】
また、ＡＶユニット５２は、通信ユニット５１と通信を行い、通信ユニット５１の動作状態を表すステータスに基づいて、ＬＥＤ（Light Emitting Diode）７５を点灯、消灯または点滅させる。
【００４２】
操作ユニット５５は、例えば、ユーザが端末１１を握った状態で操作可能なボタンやキーなどとして構成される。この例では、操作ユニット５５にボタン９１と９２が設けられている。ボタン９１は、端末１１の主たる電源スイッチ（メインスイッチ）として設けられており、ボタン９１が押下されると、通信ユニット５１およびＡＶユニット５２の双方を含む端末１１全体に電源ユニット５３から電力が供給され、端末１１が起動される。
【００４３】
この状態で、ボタン９２が押下されると、ＡＶユニット５２からスイッチングユニット５４に制御信号が出力され、電源ラインＡが切断されて通信ユニット５１への電力供給が断たれる。さらに、この状態で再びボタン９２が押下されると、ＡＶユニット５２からスイッチングユニット５４に制御信号が出力され、電源ラインＡが接続されて通信ユニット５１への電力供給が行われる。なお、端末１１の電源がＯＮされた状態（駆動された状態）で、再びメインスイッチ（ボタン９１）が押下されると、通信ユニット５１およびＡＶユニット５２の双方を含む端末１１全体への電力の供給が停止される。
【００４４】
すなわち、端末１１のメインスイッチであるボタン９１を押下することにより端末１１の起動または停止が指令される。端末１１が駆動中にボタン９２を押下することにより、端末１１の携帯電話機能を提供するユニットである通信ユニット５１の起動または停止が指令される。また、端末１１が駆動している間、コンテンツのデータの再生を行うＡＶユニット５２は停止されず、ボタン９２の操作に基づいてＡＶユニット５２がスイッチングユニット５４を制御して、電源ユニット５３から通信ユニット５１への電力供給を制御することにより通信ユニット５１が起動または停止される。なお、ボタン９２の操作と、通信ユニット９１またはＡＶユニット９２の起動との時間的な関係は、図６と図７を参照して後述する。
【００４５】
このようにすることで、ユーザは、操作ユニット５５のボタン９２を操作することにより、コンテンツの再生中に、端末１１の携帯電話機能を停止させたり、また再び起動させたりすることができる。これにより、例えば、ユーザ１２が端末１１を、飛行機の中、電車の中、病院などに携行したとき、簡単に携帯電話機能を停止させることができ、その結果、ユーザ１２のみならず、ユーザ１２の周囲の人にとっても快適な通信環境を提供することができる。
【００４６】
この例では、メインスイッチであるボタン９１が押下されると、通信ユニット５１およびＡＶユニット５２の双方に電源ユニット５３から電力が供給されると説明したが、メインスイッチであるボタン９１が押下されると、ＡＶユニット５２に電源ユニット５３から電力が供給され、その状態からボタン９２が押下されると、ＡＶユニット５２からスイッチングユニット５４に制御信号が出力され、電源ラインＡが接続されて通信ユニット５１への電力供給が行われるようにしてもよい。
【００４７】
また、同図には示されていないが、例えば、携帯電話の発呼、電子メールの作成または送受信、コンテンツのダウンロードまたは再生／停止などの操作入力を受け付ける操作入力部が、操作ユニット５５とは別に設けられるものとし、操作入力部を介して入力されたユーザの操作に基づく各種の指令（制御信号）が、通信ユニット５１およびＡＶユニット５２に出力されるものとする。なお、操作入力部は、例えば、操作内容を表示するディスプレイと、一般的な携帯電話機と同様に、０から９までの数字と数種の記号などのキーとにより構成されるようにしてもよいし、操作内容を表示するディスプレイと、カーソルを移動させるキー、表示される項目の選択を指令するキーとにより構成されるようにしてもよい。
【００４８】
なお、実際に製造される端末１１においては、上述した通信ユニット５１、ＡＶユニット５２、電源ユニット５３、およびスイッチングユニット５４が、例えば１つの基板などにより構成され、図中の点線で示されるユニット８１として構成されるようにしてもよい。この場合、通信ユニット５１、ＡＶユニット５２、電源ユニット５３、およびスイッチングユニット５４は、それぞれユニット８１を構成する機能ブロックとされるが、この場合も上述したように、通信ユニット５１に対応する機能ブロック、またはＡＶユニット５２に対応する機能ブロックへの電力の供給が行われることにより、やはりユーザは、操作ユニット５５のボタン９２を操作することにより、コンテンツの再生中に、端末１１の携帯電話機能を停止させたり、また再び起動させたりすることができる。
【００４９】
図３は図２の通信ユニット５１の詳細な構成例を示すブロック図である。同図において、アンテナ７１は、基地局１２から送信される受信信号を受信し、送受信制御部１１２に出力し、また、送受信制御部１１２から出力される基地局１２に送信する送信信号を送信する。
【００５０】
例えば、音声通話時に、アンテナ７１により受信された受信信号は、送受信制御部１１２において、受信信号が増幅されて周波数変換処理およびアナログデジタル変換処理が施され、変復調部１１３に出力される。変復調部１１３は、送受信制御部から出力された信号にスペクトラム逆拡散処理を行い、ＣＯＤＥＣ１１６に出力し、ＣＯＤＥＣ１１６によって所定の形式のデジタル信号にデコードされ、ＡＤ／ＤＡ変換部１１７に出力される。出力された信号は、ＡＤ／ＤＡ変換部１１７によりアナログ音声信号に変換され、アンプ１１８を介してアナログ音声信号に対応する音声がスピーカから出力される。
【００５１】
また、音声通話時に、マイクで集音した音声信号は、アンプ１１８を介してAD／DA変換部１１７に出力されデジタル信号に変換されＣＯＤＥＣ１１６に出力される。ＣＯＤＥＣ１１６によって所定の形式のデジタル音声データに変換（エンコード）され、デジタル音声データは変復調部１１３でスペクトラム拡散処理され、送受信制御部１１３でデジタルアナログ変換処理および周波数変換処理が施された後、アンテナ７１を介して送信される。
【００５２】
CPU（Central Processing Unit）、ROM（Read Only Memory）、およびRAM（Random Access Memory）等でなる主制御部１１５は、図示せぬ操作入力部から受け付けられるユーザの操作入力に基づいて、通信ユニット５１を構成する各部を制御する。また、主制御部１１５は、通信ユニットの動作状況として、例えば、通話処理中、データ受信中、データ送信中などを表す情報としてのステータスを管理し、必要に応じてＡＶユニット５２に出力する。これにより、ＡＶユニット５２において、現在、通信ユニット５１による処理の仕掛かりがあるか否かを判定することが可能となる。
【００５３】
アプリケーション実行部１１４は、やはりCPU、ROM、およびRAM等で構成され、ユーザの操作入力による指令に基づいて、電子メールの送受信、音楽配信サービスなどを利用したコンテンツのデータのダウンロード処理など音声通話以外の各種のアプリケーション処理を実行する。なお、アプリケーション実行部１１４がダウンロードしたコンテンツのデータは、AVユニット５２に装着されるフラッシュメモリ７６などの記録媒体に記録される。
【００５４】
上述した各ブロックおよびインタフェース１１９は、バス１２０を介して相互に接続されており、インタフェース１１９は、ＡＶユニット５２との間のデータの送受信を制御する。
【００５５】
なお、通信ユニット５１の構成は、これに限られるものではなく、上述した機能を実現するものであればよい。例えば、一般的な携帯電話機に利用される目的で製造され、市場に流通する携帯電話機用のICチップなどを用いて通信ユニット５１を構成するようにすることも可能である。このようにすることで、端末１１を小型かつ低コストで実現することができる。
【００５６】
図４は、図２のＡＶユニット５２の詳細な構成例を示すブロック図である。同図に示されるように、ＡＶユニット５２を構成する各ブロックは、バス１６０を介して相互に接続されている。ドライブ１５６は、主制御部１５３の制御に基づいて、装着される記録媒体（例えば、図２のフラッシュメモリ７６）からコンテンツのデータを読み出し、またはインタフェース１５１を介して通信ユニット５１から供給されるコンテンツのデータを記録媒体に記録する。
【００５７】
本発明では、コンテンツのデータを記録する記録媒体は、ＡＶユニット５２に設けられるドライブ１５６に装着されるので、例えば、ユーザが飛行機の中、電車の中、病院などに端末１１携行し、携帯電話機能を停止させた場合でも、コンテンツの再生は継続して行うことができる。
【００５８】
ドライブ１５６を介して記録媒体から読み出されるコンテンツのデータ、またはインタフェース１５１を介して通信ユニット５１から供給されるコンテンツのデータは、バッファ１５２に蓄積される。ＣＯＤＥＣ１５３は、バッファ１５２からコンテンツのデータを読み出し、データのデコード（例えば、圧縮または暗号化されたデータを復号するなどの処理）を行い、コンテンツを再生する。再生されたコンテンツのデータは、ＡＤ／ＤＡ変換部１５４において、アナログ信号に変換され、アンプ１５５を介して、例えばヘッドフォンから出力されることになる。なお、コンテンツに映像が含まれる場合、映像信号は、表示部１５７を介して接続されるディスプレイなどに出力されるものとする。
【００５９】
CPU、ROM、およびRAM等でなる主制御部１５８は、ＡＶユニット５２を構成する各部を制御する。また、主制御部１５８は、操作ユニット５５を介して入力されるユーザの指令に基づいて、スイッチングユニット５４の駆動を制御する制御信号を出力し、さらに、主制御部１５８は、表示部１５７を制御する信号を出力し、表示部１５７を介して接続されるＬＥＤ７５の発光を制御する。また、表示部１５７は、ディスプレイの表示制御も行う。さらに、主制御部１５８は、電源ラインＢから供給される電力を制御することにより、ＡＶユニット５２に対する電力供給モードを切り換える。
【００６０】
ここで、電力供給モードとしては、ＡＶユニット５２を構成する各部に全て電力を供給する通常モードと、ＡＶユニット５２の中で主制御部１５８のみに電力を供給するスタンバイモードの２種類のモードが予め設定されているものとし、例えば、コンテンツの再生処理が中止されたとき、主制御部１５８は電力供給モードを通常モードからスタンバイモードに切り換えることにより消費される電力を抑制する。
【００６１】
なお、ドライブ１５６に装着される記録媒体は、フラッシュメモリ７６に限られるものではなく、磁気ディスク、光ディスク、光磁気ディスク、或いは半導体メモリなどのリムーバブルメディアが適宜装着されるものとする。
【００６２】
なお、ＡＶユニット５２についても、通信ユニット５１と同様に、１つのICチップとして構成されるようにしてもよい。
【００６３】
図５は、図４の主制御部１５８のCPUで実行されるプログラムの機能的構成例を示すブロック図である。同図において、操作入力受け付け部２０１は、例えば、操作ユニット５５を介して入力されるユーザの操作入力を受け付けてステータス管理部２０２に出力する。ステータス管理部２０２は、通信ユニット５１のステータスをチェックして、その結果を表示制御部２０３に出力する。また、ステータス管理部２０２は、ＡＶユニット５２においてコンテンツの再生がおこなわれているか否かを表す情報としてのステータスも合わせて管理する。
【００６４】
表示制御部２０３は、ステータス管理部２０２からの出力結果に基づいて、表示部１５７の駆動を制御し、ＬＥＤ７５を発光させる。表示制御部２０３は、例えば、通信ユニット５１のステータスが通話処理中、データ受信中、またはデータ送信中のときに、通信ユニット５１の機能停止（携帯電話機能の停止）が指令された場合、ＬＥＤを点滅させ、通信ユニット５１のステータスが通話処理中、データ受信中、またはデータ送信中のいずれでもないときに（通信ユニット５１による処理の仕掛かりがないときに）、通信ユニット５１の機能停止（携帯電話機能の停止）が指令された場合、ＬＥＤを消灯させる処理を実行する。
【００６５】
スイッチ制御部２０４は、操作入力部２０１乃至表示制御部２０３の処理結果を受けて、ユーザの操作入力に基づいて、スイッチングユニット５４を制御し、上述した電源ラインＡを切断または接続し、通信ユニット５１への電力の供給を制御する処理を実行する。スイッチ制御部２０４は、例えば、通信ユニット５１のステータスが通話処理中、データ受信中、またはデータ送信中のときに、通信ユニット５１の機能停止が指令された場合、通信ユニット５１による処理の仕掛かりがなくなるまで待ってから通信ユニット５１への電力の供給を遮断するように制御する。
【００６６】
次に、図６と図７のタイミングチャートを参照して、操作ユニット５５のボタン９２の操作と、通信ユニット５１またはＡＶユニット５２の電源のＯＮ／ＯＦＦの時間的関係について説明する。
【００６７】
図６は、通信ユニット５１が駆動している状態（電源ラインＡが接続されている状態）から、ボタン９２が押下され、通信ユニット５１が停止される場合のタイミングチャートであり、横軸は時間を表している。また、時間は、図中右から左へ進んでいく（経過していく）ものとする。同図に示されるように、操作（ボタン９２の押下）により通信ユニット５１のＯＦＦが指令されると、それにやや遅れて通信ユニット５１のステータスが通信処理中から通信処理終了に変化する。すなわち、通信ユニット５１は、操作により通信ユニット５１のＯＦＦが指令されてから、仕掛かり中の通信処理を終了させるため、やや遅れて通信ユニット５１のステータスが通信処理中から通信処理終了に変化する。
【００６８】
通信ユニット５１のステータスが通信処理中から通信処理終了に変化すると、それとほぼ同時に、通信ユニット５１の電源がOFFされる。すなわち、通信ユニット５１のステータスが通信処理終了となったことを確認したＡＶユニット５２がスイッチングユニット５４を制御して電源ラインＡを切断することにより通信ユニット５１の電源がOFFされる。
【００６９】
なお、この間ＡＶユニット５２は電源ONの状態とされる。
【００７０】
図７は、通信ユニット５１が停止している状態（電源ラインＡが切断されている状態）から、ボタン９２が押下され、通信ユニット５１が起動される場合のタイミングチャートであり、横軸は時間を表している。また、時間は、図中右から左へ進んでいく（経過していく）ものとする。同図に示されるように、操作（ボタン９２の押下）により通信ユニット５１のＯＮが指令されると、それとほぼ同時に通信ユニット５１の電源がＯＮされる。また、通信ユニット５１の電源がONされた後、任意のタイミングで通信ユニット５１による通信処理が開始され、通信ユニット５１のステータスが通信処理中に変化する。
【００７１】
さらに、操作（ボタン９２の押下）により通信ユニット５１のＯＮが指令されると、それにやや遅れてＡＶユニット５２の電源がOFFされる（正確にはスタンバイモードに設定され、消費電力が抑制される）。すなわち、ＡＶユニット５２は、操作により通信ユニット５１のＯＮが指令されてから、ユーザの指令による選択に基づいて、コンテンツの再生を中止し、スタンバイモードに入るため、やや遅れてＡＶユニット５２の電源がOFFされる。
【００７２】
次に、図８と図９のフローチャートを参照して、主制御部１５８による端末１１の動作制御処理について説明する。この処理は、電源BラインからＡＶユニット５２に対して電源が供給されている間、実行される。すなわち、端末１１のメインスイッチ（例えば、ボタン９１）が、一度押下されてから、再び押下されるまでの間、実行される。なお、ここでは、メインスイッチであるボタン９１が押下されると、ＡＶユニット５２に電源ユニット５３から電力が供給され、その状態からボタン９２が押下されると、ＡＶユニット５２からスイッチングユニット５４に制御信号が出力され、電源ラインＡが接続されて通信ユニット５１への電力供給が行われるよう設定されているものとする。
【００７３】
ステップＳ１において、操作入力受付部２０１は、ユーザの操作入力により、通信ユニット５１の起動が指令されたか否かを判定し、通信ユニット５１の起動が指令されたと判定されるまで待機する。
【００７４】
例えば、図２のボタン９２が押下されると、操作入力受付部２０１は、ユーザの操作入力により、通信ユニット５１の起動が指令されたと判定する。ステップＳ１において、通信ユニット５１の起動が指令されたと判定された場合、処理は、ステップＳ２に進む。
【００７５】
ステップＳ２において、ステータス管理部２０２は、ＡＶユニット５２においてコンテンツを再生中か否かを判定する。ステップＳ２において、ＡＶユニット５２においてコンテンツを再生中と判定された場合、処理は、ステップＳ３に進む。
【００７６】
ステップＳ３において、表示制御部２０３は、コンテンツの再生中止要否のメッセージ、すなわちユーザに対して現在再生中のコンテンツの再生を中止するか否かの選択を促すメッセージをディスプレイに表示させる。このときユーザは、例えば、ディスプレイの表示に基づいて、コンテンツの再生中止を指令するアイコンを選択する操作を行うことにより、コンテンツの再生の中止を指令する。
【００７７】
例えば、コンテンツとしての楽曲を再生して聴いているときに、携帯電話をかける必要がある場合、楽曲が流れている（音声が出力され続ける）と携帯電話での通話の邪魔になることがある。このような場合、ユーザは、コンテンツの再生中止を指令して、楽曲を停めることができる。
【００７８】
ステップＳ４において、操作受付部２０１は、コンテンツの再生中止が指令されたか否かを判定し、コンテンツの再生中止が指令されたと判定された場合、処理はステップＳ５に進む。
【００７９】
ステップＳ５において、スイッチ制御部２０４は、ＡＶユニット５２をスタンバイモードに設定する。これにより、ＡＶユニット５２で消費される電力が抑制される。ただし、上述したように、スタンバイモードに設定されている間も、ＡＶユニット５２の主制御部１５８には引き続き電力が供給され続ける。したがって、ＡＶユニット５２がスタンバイモードに設定されている間も、通信ユニット５１から通知される通信ユニットのステータスは更新されることになる。また、ＡＶユニット５２がスタンバイモードに設定されている間も、操作ユニット５５からの入力に基づいて主制御部１５８がスイッチングユニット５４を制御することが可能である。
【００８０】
ステップＳ５の処理の後、ステップＳ６において、通信ユニット起動処理が実行される。ここで、図１０のフローチャートを参照して、図８のステップＳ６の通信ユニット起動処理の詳細について説明する。
【００８１】
図１０のステップＳ３１において、スイッチ制御部２０４は、スイッチングユニット５４を制御して、通信ユニットの電源をＯＮにする。このとき、電源ラインＡが接続され、電源ユニット５３から通信ユニット５１に対して電力の供給が開始される。
【００８２】
ステップＳ３２において、表示制御部２０３は、ＬＥＤ７５を点灯する。これによりユーザまたはユーザの周囲の人に対して、通信ユニット５１が起動され、端末１１の携帯電話機能が稼動していることが通知される。
【００８３】
このようにして、通信ユニット５１が起動される。
【００８４】
ここで、図１１のフローチャートを参照して、通信ユニット５１の処理について説明する。
【００８５】
ステップＳ５１において、通信ユニット５１の主制御部１１５は、通信ユニット５１の電源がＯＮされたか否かを判定し、電源がＯＮされたと判定されるまで待機する。図１０のステップＳ３１において、通信ユニットの電源がＯＮにされると、ステップＳ５１においても電源がＯＮされたと判定され、処理はステップＳ５２に進む。
【００８６】
ステップＳ５２において、主制御部１１５は、通信ユニット５１を構成する各ブロックを駆動する。
【００８７】
ここでは、ステップＳ５１とＳ５２の処理を、主制御部１１５が実行する処理として説明したが、ステップＳ５１とＳ５２の処理は、通信ユニット５１に対して電力の供給が開始されると、自動的に実行されるようにしてもよい。
【００８８】
ステップＳ５３において、主制御部１１５は、ユーザの操作入力に基づく通信処理を行う。このとき、例えば、他の携帯電話機などとの通話処理、電子メールの送受信処理、コンテンツのデータのダウンロード処理などが実行されることになる。
【００８９】
ステップＳ５４において、主制御部１１５は、通信ユニット５１のステータスを、ＡＶユニット５２に対して通知する。ここで通知された通信ユニット５１のステータスは、ＡＶユニット５２のインタフェース１５１を介して主制御部１５８により受信され、主制御部１５８が内蔵するメモリなどに保存される。なお、通信ユニット５１から新たなステータスが通知された場合、ＡＶユニット５２の主制御部１５８に保存される通信ユニット５１のステータスが都度更新される。
【００９０】
ステップＳ５５において、主制御部１１５は、通信ユニット５１の電源がOFFされたか否かを判定し、電源がOFFされていないと判定された場合、処理は、ステップS５３に戻り、それ以後の処理が繰り返し実行される。
【００９１】
例えば、後述する図１２のステップS７１の処理が実行されると、ステップS５５においては、通信ユニット５１の電源がOFFされたと判定され、処理は終了する。
【００９２】
このように、通信ユニット５１に対して電力が供給されている間、通信ユニット５１からＡＶユニット５２に対してステータスの通知が行われる。これにより、ＡＶユニットにおいても、現在、通信ユニット５１による処理の仕掛かりがあるか否かを判定することが可能となる。
【００９３】
図８にもどって、ステップＳ６の処理の後、図９のステップＳ７において、操作入力受付部２０１は、通信ユニット５１の停止が指令されたか否かを判定する。
【００９４】
例えば、図２のボタン９２が再び押下されると、操作入力受付部２０１は、ユーザの操作入力により、通信ユニット５１の停止が指令されたと判定する。ステップＳ７において、通信ユニット５１の停止が指令されたと判定された場合、処理は、ステップＳ８に進む。
【００９５】
ステップＳ８において、ステータス管理部２０２は、現在、通信ユニット５１において通信処理中か否かを判定する。このとき、ステータス管理部２０２は、主制御部１５８の内部のメモリに保存される通信ユニット５１のステータスをチェックする。通信ユニット５１のステータスが通話処理中、データ受信中、またはデータ送信中の場合（通信ユニット５１による処理の仕掛かりがある場合）、通信ユニット５１において通信処理中であると判定され、処理は、ステップＳ９に進む。
【００９６】
ステップＳ９において、表示制御部２０３は、表示部１５７を介してLED７５を点滅させる。これによりユーザまたはユーザの周囲の人に対して、通信ユニット５１が停止されようとしていることが通知される。その後、処理は、ステップS８に戻る。
【００９７】
通信ユニット５１における処理が終了し、主制御部１５８の内部のメモリに保存される通信ユニット５１のステータスが更新されて、ステップS８において、通信ユニット５１おいて通信処理中ではないと判定された場合（通信ユニット５１による処理の仕掛かりがなくなった場合）、処理は、ステップS１０に進む。
【００９８】
その後、ステップS１０において、通信ユニット停止処理が実行される。ここで、図１２のフローチャートを参照して、図９のステップＳ１０の通信ユニット停止処理の詳細について説明する。
【００９９】
図１２のステップＳ７１において、スイッチ制御部２０４は、スイッチングユニット５４を制御して、通信ユニットの電源をOFFにする。このとき、電源ラインＡが切断され、電源ユニット５３から通信ユニット５１に対する電力の供給が停止される。
【０１００】
ステップＳ７２において、表示制御部２０３は、ＬＥＤ７５を消灯する。これによりユーザまたはユーザの周囲の人に対して、通信ユニット５１が停止され、端末１１の携帯電話機能が稼動していないことが通知される。
【０１０１】
このようにして、通信ユニット５１が停止される。
【０１０２】
図９に戻って、ステップS１０の処理の後、処理は、図８のステップS１に戻る。
【０１０３】
なお、上述したステップS２においてコンテンツを再生中ではないと判定された場合、ステップS３乃至S５の処理はスキップされる。また、上述したステップS４において、再生中止が指令されなかったと判定された場合、ステップS５の処理はスキップされる。
【０１０４】
本発明においては、このように端末１１の動作制御処理が実行されることにより、ユーザは、端末１１が通信処理中か否かを気にかけることなく、操作ユニット５５を操作して通信ユニット５１を停止させ、端末１１の携帯電話機能を停止させることがきる。また、通信ユニット５１のステータスに応じてLED７５が点灯、点滅、または消灯されるので、端末１１のユーザのみならず、ユーザの周囲の人に、現在、端末１１の携帯電話機能が稼動しているのか否かを明示することができる。さらに、本発明においては、例えば、従来の携帯電話機のパーソナルモードのように、単にモードの設定で動作が切り換えられるだけでなく、通信ユニット５１に対する電力の供給を停止させるので、端末１１の消費電力を抑制することができる。
【０１０５】
また、通信ユニット５１を停止は、ボタン９２を押下することにより指令されるようにしたので、例えば、従来の携帯電話機のように、階層化されたメニューを選択してパーソナルモードに設定する場合と比較して、簡単に端末１１の携帯電話機能を停止させることがきる。
【０１０６】
なお、図２においては、操作ユニット５５が、メインスイッチであるボタン９１と、通信ユニット５１の起動／停止を指令するスイッチ９２とにより構成させる例について説明したが、操作ユニット５５の構成をさらに簡素化するようにしてもよい。
【０１０７】
図１３は、図１の端末１１の別の内部構成例を示すブロック図である。同図において、図２と対応する部分には図２と同一の符号が付されている。この例では、図２の場合と異なり、操作ユニット５５が、ポジション９０−１乃至９０−３の３つのポジションに設定可能なスイッチ９０により構成されている。なお、同図においては便宜上ポジション９０−２と９０−３におけるスイッチ９０が点線で示されているが、実際には、単一のスイッチ９０がユーザの操作により、図中上下の方向に移動されることにより、スイッチ９０が、ポジション９０−１乃至９０−３の３つのポジションのうちのユーザが所望する１つのポジションに設定される。
【０１０８】
スイッチ９０がポジション９０−１に設定されている場合、通信ユニット５１およびＡＶユニット５２に対する電源ユニット５３からの電源供給は行われず、端末１１はOFFの状態となる。
【０１０９】
スイッチ９０がポジション９０−２に設定されている場合、ＡＶユニット５２に対してのみ電源ユニット５３からの電源供給が行われる状態となる。すなわち、端末１１においては、ＡＶユニット５２によるコンテンツ（例えば、楽曲などのオーディオコンテンツ）の再生のみが行われ、携帯電話機能が停止された状態となる。この場合、上述したようにLED７５は消灯された状態となる。
【０１１０】
スイッチ９０がポジション９０−３に設定されている場合、通信ユニット５１およびＡＶユニット５２に対して電源ユニット５３からの電源供給が行われる状態となる。すなわち、端末１１においては、通信ユニット５１による通信処理と、ＡＶユニット５２によるコンテンツ（例えば、楽曲などのオーディオコンテンツ）の再生が行われ、携帯電話機能が起動された状態となる。この場合、上述したようにLED７５は点灯された状態となる。
【０１１１】
操作ユニット５５をこのように構成することにより、端末１１における携帯電話機能の起動または停止をより簡単に行うことができる。
【０１１２】
なお、上述した一連の処理は、ハードウェアにより実行させることもできるし、ソフトウェアにより実行させることもできる。上述した一連の処理をソフトウェアにより実行させる場合には、そのソフトウェアを構成するプログラムが、インターネットなどのネットワークや、リムーバブルメディアなどからなる記録媒体からインストールされる。
【０１１３】
本明細書において上述した一連の処理を実行するステップは、記載された順序に沿って時系列的に行われる処理はもちろん、必ずしも時系列的に処理されなくとも、並列的あるいは個別に実行される処理をも含むものである。
【図面の簡単な説明】
【０１１４】
【図１】本発明に係る通信システムの構成例を示す図である。
【図２】図１の端末の内部構成例を示すブロック図である。
【図３】図２の通信ユニットの詳細な構成例を示すブロック図である。
【図４】図２のＡＶユニットの詳細な構成例を示すブロック図である。
【図５】図４の主制御部により実行されるプログラムの機能的構成例を示すブロック図である。
【図６】ボタンの操作と、通信ユニットまたはＡＶユニットの電源のＯＮ／ＯＦＦの時間的関係について説明するタイミングチャートである。
【図７】ボタンの操作と、通信ユニットまたはＡＶユニットの電源のＯＮ／ＯＦＦの時間的関係について説明するタイミングチャートである。
【図８】動作制御処理を説明するフローチャートである。
【図９】動作制御処理を説明するフローチャートである。
【図１０】通信ユニット起動処理を説明するフローチャートである。
【図１１】通信ユニットの処理を説明するフローチャートである。
【図１２】通信ユニット停止処理を説明するフローチャートである。
【図１３】図１の端末の別の内部構成例を示すブロック図である。
【符号の説明】
【０１１５】
１１  端末，  １２  基地局，  ５１  通信ユニット，  ５２  ＡＶユニット，  ５３  電源ユニット，  ５４  スイッチングユニット，  ５５  操作ユニット，  ７５  LED，  ７６  フラッシュメモリ，  １１５  主制御部，  １５６  ドライブ，  １５７  表示部，  １５８  主制御部，  ２０１  操作入力受付部，  ２０２  ステータス管理部，  ２０３  表示制御部，  ２０４  スイッチ制御部
【図１】
2006180001.tif 000003
【図２】
2006180001.tif 000004
【図３】
2006180001.tif 000005
【図４】
2006180001.tif 000006
【図５】
2006180001.tif 000007
【図６】
2006180001.tif 000008
【図７】
2006180001.tif 000009
【図８】
2006180001.tif 000010
【図９】
2006180001.tif 000011
【図１０】
2006180001.tif 000012
【図１１】
2006180001.tif 000013
【図１２】
2006180001.tif 000014
【図１３】
2006180001.tif 000015